【手続補正書】
【提出日】平成23年4月22日(2011.4.22)
【手続補正１】
【補正対象書類名】特許請求の範囲
【補正対象項目名】全文
【補正方法】変更
【補正の内容】
【特許請求の範囲】
【請求項１】
手術器具であって、
作動時に外科的処置を及ぼす１以上の作動アセンブリを具える手術用エンドエフェクタと、
定格の動作電圧を有し前記エンドエフェクタに機能的に接続され前記１以上の作動アセンブリを駆動する電気モータと、
前記モータに電気的に接続される電源と、
選択可能なオフ状態と選択可能なオン状態を有するスイッチとを具え、前記選択可能なオン状態が、選択的に前記モータを駆動すべく前記電源を前記モータに電気的に接続し、前記スイッチは、前記１以上の作動アセンブリを前記エンドエフェクタ、前記モータ、および前記電源のいずれか１以上の臨床上の寿命内で１回以上１６回未満作動させるよう選択された電流容量レートを有し、前記電源が、
臨界電流レートを有する１以上の電池を具え、
前記モータを駆動して前記１以上の作動アセンブリを作動させるべく作動された場合に、約１６秒未満継続するゼロではない超臨界パルス放出期間の間、超臨界電流レートで前記１以上の電池を意図的に駆動するよう選択された電流放出能を有し、
前記超臨界パルス放出期間の間は前記モータを前記定格の動作電圧より上で意図的に駆動するよう選択された電圧放出能を有することを特徴とする手術器具。
【請求項２】
請求項１に記載の器具において、約０．５秒乃至約１５秒間の超臨界パルス放出期間、前記電流放出能が前記超臨界電流レートで、前記１以上の電池を意図的に放出するよう選択されることを特徴とする器具。
【請求項３】
請求項１に記載の器具において、約１．５秒乃至約４秒間の超臨界パルス放出期間、前記電流放出能が前記超臨界電流レートで、前記１以上の電池を意図的に放出するよう選択されることを特徴とする器具。
【請求項４】
請求項１に記載の器具において、約３秒間の超臨界パルス放出期間、前記電流放出能が前記超臨界電流レートで、前記１以上の電池を意図的に放出するよう選択されることを特徴とする器具。
【請求項５】
請求項２に記載の器具において、前記電源は、前記超臨界パルス放出期間は前記１以上の電池を前記超臨界電流レートで意図的に放出するよう動作可能であることを特徴とする器具。
【請求項６】
請求項１に記載の器具において、前記１以上の電池は１以上のリチウム型電池であることを特徴とする器具。
【請求項７】
請求項１に記載の器具において、前記１以上の電池はリチウム−二酸化マンガン電池であることを特徴とする器具。
【請求項８】
請求項１に記載の器具において、前記電池は、総計約３００秒より大きくないパルス時間は前記超臨界電流レートで駆動するよう選択されることを特徴とする器具。
【請求項９】
請求項１に記載の器具において、前記臨床上の寿命の前記超臨界パルス放出期間の合計時間は、約３００秒より大きくないことを特徴とする器具。
【請求項１０】
請求項１に記載の器具において、
前記電池は、ＰＴＣ閾値を有する正の温度係数装置を具え、
前記電池は、前記超臨界パルス放出期間に、前記超臨界電流レートであって前記ＰＴＣ閾値未満で意図的に放出するよう動作可能であることを特徴とする器具。
【請求項１１】
請求項１に記載の器具において、前記モータはパルス変調式であることを特徴とする器具。
【請求項１２】
請求項１に記載の器具において、前記モータの効率は、約６０％乃至約９０％であることを特徴とする器具。
【請求項１３】
請求項１２に記載の器具において、前記モータは、コアレス、ブラシ型の、ＤＣモータであることを特徴とする器具。
【請求項１４】
請求項１２に記載の器具において、前記モータは、無負荷の速度が約２０，０００乃至４０，０００ｒｐｍで動作するよう定格されていることを特徴とする器具。
【請求項１５】
請求項１に記載の器具において、前記電源は、約３２ワットの電力を前記モータに供給するよう動作可能であることを特徴とする器具。
【請求項１６】
請求項１に記載の器具において、さらに、前記モータを前記１以上の作動アセンブリへ接続する中間アクチュエータを具え、当該中間アクチュエータが、約１６ワットの動力を前記１以上の作動アセンブリに供給するよう動作可能であることを特徴とする器具。
【請求項１７】
請求項１６に記載の器具において、前記電源、前記モータ、および前記中間アクチュエータは、約８２ｋｇを約３秒で約６０ｍｍ動かすのに十分な出力を生成するよう動作可能であることを特徴とする器具。
【請求項１８】
請求項１７に記載の器具において、前記中間アクチュエータの最大出力は、約３秒で約６０ｍｍにわたり約８２ｋｇを供給するよう選択されることを特徴とする器具。
【請求項１９】
請求項１に記載の器具において、前記モータと前記電源を組み合わせた効率は、前記１以上の作動アセンブリに約１６ワットの動力を供給するのに十分であることを特徴とする器具。
【請求項２０】
請求項１に記載の器具において、前記モータは、約８５％乃至約９９％の効率のギアトレインを具えることを特徴とする器具。
【請求項２１】
請求項２０に記載の器具において、前記ギアトレインは最終駆動装置を有し、当該最終駆動装置は、ラックアンドピニオンアセンブリであることを特徴とする器具。
【請求項２２】
請求項２１に記載の器具において、前記モータは、前記ラックアンドピニオンアセンブリを毎秒約０．８インチ動かすよう動作可能であることを特徴とする器具。
【請求項２３】
請求項２１に記載の器具において、前記ラックアンドピニオンアセンブリは、前記エンドエフェクタの少なくとも一部に直接接続されていることを特徴とする器具。
【請求項２４】
請求項２０に記載の器具において、前記モータと前記ギアトレインは、全体の電気的−最終機械的効率が約４９％であることを特徴とする器具。
【請求項２５】
請求項２０に記載の器具において、前記ギアトレインは前記モータの速度を約６０ｒｐｍに減速することを特徴とする器具。
【請求項２６】
請求項２０に記載の器具において、前記ギアトレインの減速は約５００：１であることを特徴とする器具。
【請求項２７】
請求項１に記載の器具において、
前記１以上の作動アセンブリは、第１および第２の作動アセンブリであり、
前記電源は前記作動アセンブリのいずれか１を作動させる動力の２倍の電力を生成するよう動作可能であることを特徴とする器具。
【請求項２８】
請求項２７に記載の器具において、前記電源は約３２ワットの電力を生成するよう動作可能であり、前記１以上の作動アセンブリは約１６ワットの動力を約３秒間生成するよう動作可能であることを特徴とする器具。
【請求項２９】
請求項２７に記載の器具において、前記１以上の作動アセンブリを作動させる動力は、約８２ｋｇを約３秒間で約６０ｍｍ動かすよう動作可能であることを特徴とする器具。
【請求項３０】
請求項１に記載の器具において、前記電源は、ＣＲ１２３電池とＣＲ２電池からなる群から選択される電池の４乃至６個の直列接続を具えることを特徴とする器具。
【請求項３１】
請求項１に記載の器具において、前記１以上の電池のＰＴＣ作動は、約４アンペアで３分以上であることを特徴とする器具。
【請求項３２】
請求項１に記載の器具において、前記１以上の電池のＰＴＣ作動は、５アンペアで約２分間であることを特徴とする器具。
【請求項３３】
請求項１に記載の器具において、前記１以上の電池のＰＴＣ作動は、６アンペアで約５０秒間であることを特徴とする器具。
【請求項３４】
請求項１に記載の器具において、
前記モータはピーク効率とギアトレインを具え、
前記ギアトレインは、前記超臨界パルス放出期間は前記モータをおよそ前記ピーク効率に維持することを特徴とする器具。
【請求項３５】
請求項１に記載の器具において、
前記モータがギアトレインを具え、
前記ギアトレインが、
出力シャフトと、
ラックアンドピニオンアセンブリの形態の最終駆動機構とを具え、
前記出力シャフトは、前記超臨界パルス放出期間に前記出力シャフトの一回転で前記ラックを移動させるインチ数を最適化する回転速度で回転するよう動作可能であることを特徴とする器具。
【請求項３６】
請求項１に記載の器具において、
前記モータがドライブトレインを具え、
前記電源、前記ドライブトレイン、および前記モータの全体効率が、所望期間だけ最大出力供給すべく最適化されていることを特徴とする器具。
【請求項３７】
請求項１に記載の器具において、前記電源は、互いに電気的に接続された一次と二次のリチウム型電池を具えるハイブリッド電池であることを特徴とする器具。
【請求項３８】
請求項３７に記載の器具において、前記一次電池が前記モータを駆動し、前記二次電池が前記一次電池を再充電することを特徴とする器具。
【請求項３９】
請求項３８に記載の器具において、前記一次電池が１以上の再充電可能なリチウムイオン電池であり、前記二次電池が１以上のリチウム−二酸化マンガン電池であることを特徴とする器具。
【請求項４０】
請求項３８に記載の器具において、前記一次電池は１以上のコンデンサであり、前記二次電池は１以上のリチウム−二酸化マンガン電池であることを特徴とする器具。
【請求項４１】
手術器具であって、
作動時に外科的処置を及ぼす１以上の作動アセンブリを具える手術用エンドエフェクタと、
定格の動作電圧を有し前記エンドエフェクタに機能的に接続され前記１以上の作動アセンブリを駆動するよう前記エンドエフェクタに機械的に接続される電気モータと、
前記モータに電気的に接続される電源と、
選択可能なオフ状態と選択可能なオン状態を有するスイッチとを具え、前記選択可能なオン状態が、選択的に前記モータを駆動すべく前記電源を前記モータに電気的に接続し、前記スイッチは、前記１以上の作動アセンブリを駆動するよう選択された電流容量レートを有し、前記電源が、
製造者仕様および耐用寿命を有する１以上の電池を具え、
前記モータを駆動して前記１以上の作動アセンブリを作動させるべく作動された場合に、前記製造者仕様の範囲外のゼロではない超臨界パルス放出期間の間、超臨界電流レートで前記１以上の電池を意図的に駆動し、各々の使用により前記耐用寿命の減少を加速させるよう選択された電流放出能を有し、
前記超臨界パルス放出期間の間、前記モータを前記定格の動作電圧より上で意図的に駆動するよう選択されることを特徴とする手術器具。